(57)【要約】      （修正有）【課題】製造過程において包装体内部に異物が入り込み難く、さらに取り扱いの際の安全性が高い密封包装体の製造方法を提供し、また、かかる密封包装体の製造に適したブロー成形容器を提供する。【解決手段】ブロー成形直後に密封されたブロー成形容器１を開封して内容物を充填した後に、再度密封する密封包装体の製造方法であって、ブロー成形容器１の容器壁に設けられた凹部８に突設され凹部８外まで突出するとともに中空部３に連通する筒状部９を、切断することにより充填孔を開孔し、充填孔から中空部３に内容物を充填した後、筒状部９を加熱溶融して凹部内８に収めるとともに充填孔を封止する密封包装体の製造方法である。また、ブロー成形直後に密封され筒状部９を有するブロー成形容器１である。【選択図】図１
2014088188.tif 000002
【特許請求の範囲】
【請求項１】
ブロー成形直後に密封された中空のブロー成形容器を開封して内容物を充填した後、該ブロー成形容器を再度密封する密封包装体の製造方法であって、前記ブロー成形容器の容器壁に設けられた凹部に突設され該凹部外まで突出するとともに前記ブロー成形容器の中空部に連通する筒状部を、切断することにより充填孔を開孔し、該充填孔から前記ブロー成形容器の中空部に内容物を充填した後、前記筒状部を加熱溶融して前記凹部内に収めるとともに前記充填孔を封止することを特徴とする密封包装体の製造方法。
【請求項２】
前記筒状部を、その前記凹部外に突出している部位において切断することを特徴とする請求項１に記載の密封包装体の製造方法。
【請求項３】
ブロー成形直後に密封された中空のブロー成形容器であって、該ブロー成形容器の容器壁に設けられた凹部に突設され前記凹部外まで突出するとともに前記ブロー成形容器の中空部に連通する筒状部を備えることを特徴とするブロー成形容器。
【請求項４】
筒状部が加圧流体路の一部であることを特徴とする請求項３に記載のブロー成形容器。
【請求項５】
複数の個別容器が左右方向に繋がった多連形態であることを特徴とする請求項３または４に記載のブロー成形容器。
【発明の詳細な説明】
【技術分野】
【０００１】
本発明は、密封包装体の製造方法とそれに用いるブロー成形容器に関し、特に、製造過程において内部に異物が入り込み難く、取り扱いの際の安全性が高い密封包装体の製造方法と、それに用いるブロー成形容器に関する。
【背景技術】
【０００２】
合成樹脂製のブロー成形容器に薬剤や食品等を充填した密封包装体は、多種多様なものが市販されている。これらの密封包装体の製造に際しては、特に内容物が薬剤や食品のように人体に取り込まれるものである場合には、製造過程において包装体の内部に異物が入り込まないように細心の注意を払う必要がある。
【０００３】
例えば、特公昭６１−１９４８５号公報（特許文献１）および特開平１０−４５１１５号公報（特許文献２）には、ブロー成形直後に密封された中空のブロー成形容器の一部分を切除して開封し、薬液や液状調味料等の内容物を充填した後、そのブロー成形容器を、キャップ等を冠着することにより再度密封する密封包装体の製造方法が記載されている。
【０００４】
しかし、特許文献１の密封包装体の製造方法では、ブロー成形容器の頭部を切除して容器口部を開口する際に、樹脂の切削屑が容器内に落ち込む恐れがあり、また、ブロー成形容器に内容物を充填して再度密封する際には、別途用意したキャップを冠着するため、例えばキャップ内側に塵芥等の異物が付着していた場合には異物侵入の原因となる。
また、特許文献２の密封包装体の製造方法についても、ブロー成形容器に内容物を充填して再度密封する際に、別途用意した栓体を容器開口部上に加熱溶着する方法であるため、例えば栓体の内側に塵芥等が付着していた場合には、異物の侵入の原因となり得る。
【先行技術文献】
【特許文献】
【０００５】
【特許文献１】特公昭６１−１９４８５号公報
【特許文献２】特開平１０−４５１１５号公報
【発明の概要】
【発明が解決しようとする課題】
【０００６】
そこで、本発明は上記の問題に鑑みてなされたものであり、製造過程において包装体内部に異物が入り込み難く、さらに取り扱いの際の安全性が高い密封包装容器の製造方法を提供することを目的とし、さらに、かかる密封包装体の製造に適したブロー成形容器を提供することを目的とする。
【課題を解決するための手段】
【０００７】
前記の課題を解決する本発明のうち特許請求の範囲の請求項１に記載する発明は、ブロー成形直後に密封された中空のブロー成形容器を開封して内容物を充填した後、該ブロー成形容器を再度密封する密封包装体の製造方法であって、前記ブロー成形容器の容器壁に設けられた凹部に突設され該凹部外まで突出するとともに前記ブロー成形容器の中空部に連通する筒状部を、切断することにより充填孔を開孔し、該充填孔から前記ブロー成形容器の中空部に内容物を充填した後、前記筒状部を加熱溶融して前記凹部内に収めるとともに前記充填孔を封止することを特徴とする密封包装体の製造方法である。
【０００８】
同じく請求項２に記載する発明は、前記筒状部を、その前記凹部外に突出している部位において切断することを特徴とする請求項１に記載の密封包装体の製造方法である。
【０００９】
同じく請求項３に記載する発明は、ブロー成形直後に密封された中空のブロー成形容器であって、該ブロー成形容器の容器壁に設けられた凹部に突設され前記凹部外まで突出するとともに前記ブロー成形容器の中空部に連通する筒状部を備えることを特徴とするブロー成形容器である。
【００１０】
同じく請求項４に記載する発明は、筒状部が加圧流体路の一部であることを特徴とする請求項３に記載のブロー成形容器である。
【００１１】
同じく請求項５に記載する発明は、複数の個別容器が左右方向に繋がった多連形態であることを特徴とする請求項３または４に記載のブロー成形容器である。
【発明の効果】
【００１２】
本発明の密封包装体の製造方法によれば、ブロー成形直後に密封された中空のブロー成形容器を開封して内容物を充填した後に該ブロー成形容器を再度密封するため、ブロー成形容器の成形後から密封包装体を製造するまでの間に、包装体内部に異物が入り込み難く衛生的である。
【００１３】
また、本発明の密封包装体の製造方法によれば、ブロー成形容器の容器壁に設けられた凹部に突設され該凹部外まで突出するとともに前記ブロー成形容器の中空部に連通する筒状部を、切断することにより充填孔を開孔し、該充填孔から前記ブロー成形容器の中空部に内容物を充填した後、前記筒状部を加熱溶融して前記凹部内に収めるとともに前記充填孔を封止するため、充填孔にキャップや栓体を冠着するような、包装体内部に異物が入り込む恐れのある工程は不要であり衛生的である。
さらに、内容物の充填後、筒状部を加熱溶融して充填孔を封止する際に、仮に、封止部の一部として鋭く尖った樹脂のバリ等が生じたとしても、かかる封止部は凹部内に収められているため、バリ等が密封包装体を取り扱う者の手指には触れ難く、手指に裂傷を負うことはなく安全である。
【００１４】
また、本発明の密封包装体の製造方法において、筒状部を切断して充填孔を開孔する際に、筒状部の凹部外に突出している部位において切断するようにすれば、筒状部が複数ある場合でも、一枚の切断刃を水平方向に一度移動させるだけで、複数の筒状部９をまとめて切断することができるため作業効率が高く、また、切削屑等が容器内へ侵入する機会を減らすことができるため衛生的である。
【００１５】
本発明のブロー成形容器は、ブロー成形直後に密封された中空のブロー成形容器であって、該ブロー成形容器の容器壁に設けられた凹部に突設され前記凹部外まで突出するとともに前記ブロー成形容器の中空部に連通する筒状部を備えるので、前記本発明の密封包装体の製造に適したものである。
また、本発明のブロー成形容器の筒状部を、ブロー成形の際の加圧流体路の一部としておけば、密封包装体を製造する際に、その筒状部を切断して設けた充填孔から中空部に内容物を充填することができるため、ブロー成形容器に別の大きな開口部を設けたり、その開口部にキャップや栓体を冠着したりするような、包装体内部に異物が入り込む恐れのある工程が不要となり衛生的である。
【００１６】
このように、本発明によれば、前記の課題を解決する密封包装体の製造方法と、それに適したブロー成形容器を提供することができる。
【図面の簡単な説明】
【００１７】
【図１】本発明のブロー成形容器の一実施形態の正面図である。
【図２】本発明のブロー成形容器の一実施形態の側面図である。
【図３】本発明のブロー成形容器を構成する個別容器の一実施形態の底面図である。
【図４】本発明のブロー成形容器を構成する個別容器の一実施形態の上面図である。
【図５】本発明のブロー成形容器の製造方法の一部を示す説明図である。
【図６】本発明のブロー成形容器の他の実施形態の正面図である。
【図７】本発明のブロー成形容器の充填孔を開孔した状態を示す説明図である。
【図８】本発明のブロー成形容器に内容物を充填した状態を示す説明図である。
【図９】本発明のブロー成形容器に内容物を充填し充填孔を封止した状態を示す説明図である。
【発明を実施するための形態】
【００１８】
以下、添付の図面を参照して、本発明の実施の形態の説明を行う。尚、本発明の趣旨に反しない限り、本発明はこれらの実施の形態に限定されるものではない。
【００１９】
本発明のブロー成形容器１の一実施形態を、図１〜４を参照しつつ説明する。
ブロー成形容器１は合成樹脂からなり、５個の個別容器２が脆弱線１１を介して左右方向に繋がった多連形態とされている。
５個の個別容器２は、各々独立した中空部３を有している。かかる中空部３は、ブロー成形直後に密封された密封空間であって個別容器２の外部とは遮断されている。
【００２０】
個別容器２の底部側（図１では上方側）には、中空に成形され中空部３に連通する左右一対の脚部７、７が設けられており、この一対の脚部７、７の間に成形された凹部８には、中空に成形され中空部３に連通する筒状部９が突設され、かかる筒状部９は脚部７よりも長く成形され、凹部外まで突出している。また、筒状部９の端部は、図示しないヒートシールバーによって挟圧加熱され溶融変形して封止部１０となっている。
個別容器２の上部側（図１では下方側）には、中空に成形され中空部３に連通する口部４が設けられており、かかる口部４には、脆弱部６を介してバタフライ状のつまみ部５が連設されている。
【００２１】
ブロー成形容器１の材質は、ブロー成形が可能であればいかなる合成樹脂であっても良いが、ブロー成形容器１を、例えば医薬品や食品の包装体として使用する場合には、衛生面等の観点から、ポリプロピレン、ポリエチレン等のポリオレフィン系樹脂であることが好ましく、或いは、環状ポリオレフィン、ポリ塩化ビニル、エチレン・酢酸ビニル共重合体、アイオノマー樹脂やこれらの２種以上の混合物等であっても良い。
【００２２】
また、ブロー成形容器１を、容器壁を複数の性質の異なる合成樹脂を積層した多層構造としてもよく、例えば、容器壁が２層構造である場合は、内容物Ｃと直接触れる内層を環状ポリオレフィンとし、外層をポリプロピレンとすることができる。また、容器壁が３層構造である場合は、内層および外層をポリプロピレンとし、中間層をオレフィン系エラストマーとすることができ、或いは、内層および外層をポリエチレンとし、中間層をエチレン・酢酸ビニル共重合体とすることができる。
なお、本実施形態におけるブロー成形容器１の容器壁は、ポリプロピレンを用いた単層構造である。
【００２３】
次に、ブロー成形容器１の製造方法を、図１、図５及び図６を参照しつつ説明する。
ブロー成形容器１の製造は、一般的なブロー成形方法により行うことができる。
まず、ブロー成形容器１の外面を規制するキャビティを備えた一対の分割金型を型開きし、次に、加熱溶融した合成樹脂をダイから射出してパリソンとし、開いた分割金型の間に垂下する。その後、分割金型を閉じてパリソンを挟持し、図５に示すように、パリソンの上部に形成されるブロー孔１４から、図示しないブローノズルにより空気や窒素等の加圧流体をパリソンの中に吹き込み、金型内で膨らませる。その際、ブロー孔１４から吹き込まれた加圧流体は、ブロー孔１４から分岐部１３を介して筒状部９に連通する加圧流体路１２によって５つに分配されるため、５個の個別容器２を有するブロー成形容器１を製造することができる。
【００２４】
なお、ブロー成形の際にパリソンに吹き込む加圧流体を、事前に防塵フィルタ等を通過させて清浄しておけば、ブロー成形容器内への異物の侵入を効果的に防ぐことができる。
また、脆弱部６および脆弱線１１は、ブロー成形の際に薄肉になるように成形するか、または、ブロー成形後に刃物によりハーフカットを施すこと等により成形することができる。
【００２５】
ブロー成形終了後は、ブロー孔１４を開孔したままの状態でブロー成形容器１の温度を下げ、その後直ちにブロー孔１４を封止する。このようにブロー孔１４を封止することによりブロー成形容器１は密封状態となるため、内部への異物侵入を防ぐことができる。
ブロー孔１４を封止してブロー成形容器１を密封状態にするには、加圧流体路１２を、その一部である筒状部９の凹部８外に突出している部位において、例えば図５示すＢ−Ｂ線の位置において切断し、図１に示すように、各々の筒状体９の端部に加熱溶融により封止部１０を成形すればよい。
また、より簡易には、図６に示すように、加圧流体路１２のブロー孔１４と分岐部１３との間の部位において、加熱溶融により封止部１５を成形すればよい。
【００２６】
なお、図６に示すブロー成形容器１の実施形態では、図１に示す実施形態と比較して、封止部１５を一箇所だけ設ければよいため作業性に優れるが、後に密封包装体１ｐを製造する際に不要となる加圧流体路１２が連設されたままであるため、密封包装体１ｐの製造時に廃棄物が多少増加する。
【００２７】
本発明のブロー成形容器１の実施形態が、図１に示すもの、或いは図６に示すもののいずれであっても、ブロー成形容器１は密封状態とされているため、例えば、ブロー成形容器１を製造した後、密封包装体１ｐを製造するまでの間に時間的あるいは地理的な隔たりがある場合でも、ブロー成形容器１の保管中あるいは移送中に、容器内に異物が入り込むことはなく衛生的である。
【００２８】
次に、ブロー成形容器１を用いて密封包装体１ｐを製造する方法を、図１および図７〜９を参照しつつ説明する。
まず、密封状態のブロー成形容器１を開封する。ブロー成形容器１の開封は、図７に示すように、５個全ての個別容器２の筒状部９を切断して充填孔１６を開孔することにより行う。その際、筒状部９の切断を、筒状部９の凹部８の外に突出している部位において、例えば図１に示すＡ−Ａ線の位置において行うようにすれば、図示しない一枚の切断刃を水平方向に一度移動させるだけで、５本の筒状部９をまとめて切断することができるため作業効率が高く、また、切削屑等が容器内へ侵入する機会を減らすことができるため好ましい。
【００２９】
次に、各個別容器２の中空部３に内容物Ｃを充填する。かかる充填は、一般的な充填装置により行うことができ、例えば、充填孔１６に図示しない充填ノズルを挿入して所定量の内容物Ｃを充填すれば良い。充填された内容物Ｃは、図８に示すように、各個別容器２の中空部３と口部４の内部に収納される。
内容物Ｃは、一般には液状物、ペースト状物、粉状物または顆粒状物であるが、これらに限られる
ものではなく、また、充填時には液状物であるが、充填後にゲル化したり固化したりするものであっても差し支えない。
【００３０】
内容物Ｃの充填終了後、各個別容器２を再度密封する。
かかる密封は、図９に示すように、個別容器２の筒状部９を、図示しないヒートシール金具によって加熱溶解し圧潰することにより封止部１７を成形し、充填孔１６を封止することにより行う。その際、筒状部９を脚部７よりも短くなるように圧潰し、封止部１７が凹部８内に収まるようにする。
【００３１】
以上の密封包装体１ｐの製造方法によれば、ブロー成形容器１のブロー成形時の加圧流体路１２の一部である筒状部９を内容物Ｃの充填路として利用するため、ブロー成形容器１に別の大きな開口部を設けてキャップや栓体を冠着するような、ブロー成形容器１内に異物が入り込む恐れのある工程を設ける必要がなく衛生的である。
また、筒状部９を加熱溶融し圧潰して封止部１７を成形する際に、仮に、封止部１７の一部として鋭く尖った樹脂のバリ等が生じたとしても、封止部１７は凹部８内に収められているため、かかるバリ等が、密封包装体１ｐを取り扱う者の手指には触れ難く、手指に裂傷を負うことはなく安全である。
【００３２】
密封包装体１ｐを使用する際には、まず各個別容器２を、それらの間の脆弱線１１の部分で左右に引き裂いて分離する。次に、個別容器２を開封するには、口部４側を上方に保ち、バタフライ形状のつまみ部５を水平方向に回転させて脆弱部６を切断することにより、容易に開封することができる。
また、個別容器２は、一対の脚部７、７により正立させることができるため、口部４の開封後であっても、内容物Ｃを流出されることなく正立保持することが可能であり、取り扱いに便宜である。
【産業上の利用可能性】
【００３３】
本発明は、製造過程において包装体内部に異物が入り込み難く衛生的であり、また、取り扱いの際の安全性が高い密封包装体の製造方法として有用である。また、本発明は、前記密封包装体の製造に好適に用いることができるブロー成形容器として有用である。
【符号の説明】
【００３４】
１    ブロー成形容器
１ｐ  密封包装体
２    個別容器
３    中空部
４    口部
５    つまみ部
６    脆弱部
７    脚部
８    凹部
９    筒状部
１０、１５、１７  封止部
１１  脆弱線
１２  加圧流体路
１３  分岐部
１４  ブロー孔
１６  充填孔
Ｃ    内容物
【図１】
2014088188.tif 000003
【図２】
2014088188.tif 000004
【図３】
2014088188.tif 000005
【図５】
2014088188.tif 000006
【図６】
2014088188.tif 000007
【図７】
2014088188.tif 000008
【図８】
2014088188.tif 000009
【図９】
2014088188.tif 000010
【図４】
2014088188.tif 000011